(57)【要約】【課題】従来の装置では、充電したい電子機器をバッグ等の荷物の中に入れたままでは、非接触で充電することが困難であった。【解決手段】充電装置は、荷物が載置されたことを検知する荷物検知部と、荷物が内包する電子機器を非接触で充電する非接触充電部と、荷物検知部が荷物の載置を検知した後に、非接触充電部に電子機器を充電させる制御部とを備える。充電装置の制御プログラムは、荷物が載置されたことを判断する判断ステップと、判断ステップにおいて、荷物が載置されたと判断した後に、荷物が内包する電子機器を非接触充電部に非接触で充電させる制御ステップとをコンピュータに実行させる。【選択図】図１
2012210125.tif 000002
【特許請求の範囲】
【請求項１】
荷物が載置されたことを検知する荷物検知部と、
前記荷物が内包する電子機器を非接触で充電する非接触充電部と、
前記荷物検知部が前記荷物の載置を検知した後に、前記非接触充電部に前記電子機器を充電させる制御部と
を備える充電装置。
【請求項２】
前記制御部は、前記充電を開始させるトリガー信号を受信して、前記非接触充電部に前記電子機器の前記充電を開始させる請求項１に記載の充電装置。
【請求項３】
ユーザの入力を受け付ける入力部をさらに備え、
前記制御部は、前記入力部からの信号を前記トリガー信号として受信する請求項２に記載の充電装置。
【請求項４】
前記荷物検知部が前記荷物の載置を検知した後に、前記電子機器と無線通信を実行する無線通信部をさらに備え、
前記制御部は、前記無線通信部を介して受信した前記電子機器の機器情報に基づいて、前記非接触充電部の動作を制御する請求項１から３のいずれか１項に記載の充電装置。
【請求項５】
前記制御部は、複数の前記機器情報を受信した場合に、対応するそれぞれの前記電子機器を前記非接触充電部が充電できるか否かを判断して、前記充電を開始させる請求項４に記載の充電装置。
【請求項６】
前記制御部は、予め設定された基準に基づいて、前記充電を実行する前記電子機器を選択する請求項５に記載の充電装置。
【請求項７】
前記制御部は、ユーザの選択に基づいて、前記充電を実行する前記電子機器を選択する請求項５に記載の充電装置。
【請求項８】
前記制御部は、前記非接触充電部に前記電子機器を充電させる場合に、前記電子機器の電源をオフにする制御信号を、前記無線通信部を介して前記電子機器に送信する請求項４から７のいずれか１項に記載の充電装置。
【請求項９】
前記非接触充電部は、前記荷物が載置される荷物エリアの領域に分散して配置された複数の充電ユニットを有し、
前記制御部は、前記複数の充電ユニットから前記電子機器を充電する少なくとも一つの充電ユニットを決定して、前記充電を実行する請求項１から８のいずれか１項に記載の充電装置。
【請求項１０】
前記制御部は、前記荷物が他の充電装置に載置されていたときに取得された荷物情報を受信し、前記荷物情報に基づいて前記非接触充電部の動作を制御する請求項１から９のいずれか１項に記載の充電装置。
【請求項１１】
前記制御部は、前記荷物情報として、前記他の充電装置における充電経過情報を受信し、前記充電経過情報に基づいて前記非接触充電部の動作を制御する請求項１０に記載の充電装置。
【請求項１２】
前記制御部は、前記荷物検知部が前記荷物の搬出を検知した場合に、充電経過情報を他の充電装置に出力する請求項１から１１のいずれか１項に記載の充電装置。
【請求項１３】
荷物が載置されたことを判断する判断ステップと、
前記判断ステップにおいて、前記荷物が載置されたと判断した後に、前記荷物が内包する電子機器を非接触充電部に非接触で充電させる制御ステップと
をコンピュータに実行させる充電装置の制御プログラム。
【発明の詳細な説明】
【技術分野】
【０００１】
本発明は、充電装置および充電装置の制御プログラムに関する。
【背景技術】
【０００２】
近年、非接触充電に関する技術が知られており、例えば、非接触で携帯機器を充電する非接触充電装置が提案されている。
［先行技術文献］
［特許文献］
［特許文献１］  特開２００９−２１３２９５号公報
【発明の概要】
【発明が解決しようとする課題】
【０００３】
しかしながら、従来の装置では、充電したい電子機器をバッグ等の荷物の中に入れたままでは、非接触で充電することが困難であった。
【課題を解決するための手段】
【０００４】
本発明の第１の態様における充電装置は、荷物が載置されたことを検知する荷物検知部と、荷物が内包する電子機器を非接触で充電する非接触充電部と、荷物検知部が荷物の載置を検知した後に、非接触充電部に電子機器を充電させる制御部とを備える。
【０００５】
本発明の第２の態様における充電装置の制御プログラムは、荷物が載置されたことを判断する判断ステップと、判断ステップにおいて、荷物が載置されたと判断した後に、荷物が内包する電子機器を非接触充電部に非接触で充電させる制御ステップとをコンピュータに実行させる。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係る充電システムの概要を示す図である。
【図２】本実施形態に係る充電システムのブロック図である。
【図３】本実施形態に係る充電システムの処理を示すフローチャートである。
【図４】本実施形態に係る充電システムの確認入力処理における画面表示の例である。
【図５】本実施形態に係る充電システムの充電条件設定処理における画面表示の例である。
【図６】本実施形態に係る充電システムの課金処理における画面表示の例である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る充電システム１００の概要を示す図である。図１に示すように、充電システム１００は、コントロールパネル２００と、荷物検知装置３００と、非接触充電装置４００とを有している。本実施形態において、充電システム１００は、電車の車両の荷物棚５００の特定エリア５１０ごとに設けられている。また、本実施形態においては更に、充電システム１００は、座席６００の下の特定エリア５１０ごとに設けられている。
【００１０】
コントロールパネル２００は、ディスプレイ２０１、キーボード２０２、ディスプレイ２０１の表面に設置されたタッチパネル２０３およびＩＣカードの情報を読み出すＩＣカードリーダー２０４を備える。本実施形態において、キーボード２０２、タッチパネル２０３およびＩＣカードリーダー２０４がユーザの入力を受け付ける入力部として機能する。本実施形態において、荷物棚５００に設けられた充電システム１００のコントロールパネル２００は、荷物棚５００の前面に設けられている。また、本実施形態においては更に、座席６００の下に設けられた充電システム１００のコントロールパネル２００は、座席６００の肘掛に設けられている。
【００１１】
荷物検知装置３００は、５つの検知ユニット３１０、３２０、３３０、３４０、３５０を有し、荷物棚５００の特定エリア５１０に載置された荷物を検知する。検知ユニット３１０、３２０、３３０、３４０、３５０は、例えば圧力センサ、重量センサ、光センサ、メカスイッチ等から成る。なお、検知ユニットの数は、５つに限らず、検知ユニットの検知範囲等に応じて設定されてよい。また、荷物検知装置３００は、荷物棚５００に搭載された荷物を撮影するカメラであってもよい。荷物検知装置３００は、コントロールパネル２００と有線または無線で接続し、検知情報をコントロールパネル２００に出力する。
【００１２】
非接触充電装置４００は、４つの充電ユニット４１０、４２０、４３０、４４０を有し、荷物棚５００の特定エリア５１０に載置された荷物が内包する携帯電話、カメラ、ノートパソコン等の電子機器を非接触で充電する。充電ユニット４１０、４２０、４３０、４４０は、電磁誘導、電場・磁場共鳴等により電力を無線で伝送し、電子機器を非接触で充電する。なお、充電ユニットの数は、４つに限られるものではなく、充電ユニットの充電可能範囲等に応じて設定されてよい。非接触充電装置４００は、コントロールパネル２００と有線または無線で接続し、コントロールパネル２００から制御信号を受信する。
【００１３】
図２は、本実施形態に係る充電システム１００におけるコントロールパネル２００の概要を示す図である。コントロールパネル２００は、全体の制御を司るＣＰＵ２１０を中心として、図１を用いて説明したディスプレイ２０１、キーボード２０２、タッチパネル２０３およびＩＣカードリーダー２０４を備える。ＣＰＵ２１０は、制御部として、非接触充電装置４００に制御信号を出力して非接触充電装置４００の動作を制御する。
【００１４】
タイマー２１１はＣＰＵ２１０からの指示に応じて計時機能を実行する。タイマー２１１は、例えば、ＣＰＵ２１０の開始の指示を受けて計時を開始し、終了の指示を受けてその時刻をＣＰＵ２１０へ返す。
【００１５】
ＲＯＭ２１２は、例えばフラッシュメモリ等の不揮発性メモリであり、充電システム１００を制御するプログラム、各種パラメータなどを記憶する役割を担う。また、ＲＯＭ２１２は、ＣＰＵ２１０が取得した各種情報を記憶する。
【００１６】
外部接続インターフェイス２１３は、外部機器と接続するためのインターフェイスである。インターフェイスとしては、無線／有線ＬＡＮ、ＵＳＢ、ＨＤＭＩ、Ｂｌｕｅｔｏｏｔｈ（登録商標）等の様々な接続規格を採用することができる。また、外部接続インターフェイス２１３は、インターネットプロトコル等の通信プロトコルに準拠し、ネットワークを介してサーバとの通信を可能にしてもよい。
【００１７】
外部接続インターフェイス２１３は、荷物検知装置３００および非接触充電装置４００と有線または無線で接続する。また、外部接続インターフェイス２１３は、荷物が内包する電子機器と無線接続する。さらに、外部接続インターフェイス２１３は、他の充電システム１００と有線または無線で接続する。
【００１８】
図３は、本実施形態に係る充電システムの処理を示すフローチャートである。本フローチャートにおいて、ＣＰＵ２１０は、荷物が内包する電子機器に対する非接触充電処理の制御を実行する。ＣＰＵ２１０は、例えば、タイマー２１１を用いて、本フローチャートの処理終了から予め定められた期間経過した場合に本フローチャートの処理を開始する。
【００１９】
ステップＳ１０１において、ＣＰＵ２１０は、荷物検知装置３００を用いて、バッグ等の荷物が特定エリアに載置されたか否かを判断する。具体的には、まず、ＣＰＵ２１０は、荷物検知装置３００の出力情報を取得する。そして、ＣＰＵ２１０は、出力情報を用いて、荷物検知装置３００が特定エリア５１０への荷物の載置を検知したか否かを判断する。ＣＰＵ２１０は、荷物検知装置３００が荷物の載置を検知していないと判断した場合には、ステップＳ１０１で待機する。なお、この場合に、ＣＰＵ２１０は、本フローチャートを終了してもよい。一方、ＣＰＵ２１０は、荷物検知装置３００が荷物の載置を検知したと判断した場合にステップＳ１０２に移行する。
【００２０】
ステップＳ１０２において、ＣＰＵ２１０は、外部接続インターフェイス２１３を介して、荷物が内包する電子機器の機器情報を無線通信で電子機器から取得できるか否かを判断する。なお、本実施形態において、外部接続インターフェイス２１３は電子機器と無線通信を実行する無線通信部として機能する。ＣＰＵ２１０は、電子機器の機器情報を電子機器から取得できない場合にはステップ１０６へ移行する。一方、ＣＰＵ２１０は、電子機器の機器情報を取得できる場合に電子機器の機器情報を取得してステップＳ１０３に移行する。
【００２１】
ステップＳ１０３において、ＣＰＵ２１０は、外部接続インターフェイス２１３を介して他の充電システム１００から受信される情報を用いて、荷物が内包する電子機器に対する非接触充電処理が他のエリアで実行されていたか否かを判断する。ＣＰＵ２１０は、電子機器に対する非接触充電処理が他のエリアで実行されていたと判断した場合にはステップＳ１０９へ移行する。一方、ＣＰＵ２１０は、電子機器に対する非接触充電処理が他のエリアで実行されていないと判断した場合にステップＳ１０４に移行する。
【００２２】
ステップＳ１０４において、ＣＰＵ２１０は、荷物が内包する電子機器に充電できるか否かを判断する。具体的には、ＣＰＵ２１０は、電子機器の機器情報を用いて、電子機器が非接触充電装置４００に対応しているか否かを判断する。ＣＰＵ２１０は、電子機器が非接触充電装置４００に対応していると判断した場合に、電子機器に充電できると判断する。また、ＣＰＵ２１０は、ステップＳ１０２において取得した電子機器の機器情報のうちの充電状態の情報を用いて、電子機器が予め定められた割合（例えば９５％）以上充電されている場合に電子機器に充電できないと判断する。ＣＰＵ２１０は、電子機器に充電できないと判断した場合には本フローチャートを終了する。一方、ＣＰＵ２１０は、電子機器に充電できると判断した場合にステップＳ１０５に移行し、ステップＳ１０２において取得した電子機器の機器情報をＲＯＭ２１２に保存する。その後、ＣＰＵ２１０は、ステップＳ１０６に移行する。
【００２３】
ステップＳ１０６において、ＣＰＵ２１０は、電子機器を充電するか否かの確認画面をディスプレイ２０１に表示させ、電子機器を充電する旨の確認入力をユーザから受け付けたか否かを判断する。ＣＰＵ２１０は、電子機器を充電する旨の確認入力を受け付けなかった場合に本フローチャートを終了する。なお、フローチャートの終了に代えて、ステップＳ１０１へ戻るようにしても良い。一方、ＣＰＵ２１０は、電子機器を充電する旨の確認入力を受け付けた場合にステップＳ１０７に移行する。このＳ１０６の具体的な処理については後述する。
【００２４】
ステップＳ１０７において、ＣＰＵ２１０は、ディスプレイ２０１に充電条件設定画面を表示させ、ユーザの入力に応じて充電条件を設定する。そして、ＣＰＵ２１０は、ステップＳ１０８に移行し、課金処理を実行する。これらＳ１０７およびＳ１０８の具体的な処理については後述する。
【００２５】
ステップＳ１０９において、ＣＰＵ２１０は、非接触充電処理を実行した他の充電システム１００から荷物が内包する電子機器の充電の経過を示す充電経過情報を荷物情報として受信する。充電経過情報は、例えば、充電条件の情報、充電の進捗状況の情報等である。
【００２６】
この処理が行われる場面として、例えば、荷物棚５００の特定エリア５１０に設けられた充電システム１００で非接触充電処理を実行中に、ユーザが座席６００に移動し、荷物を荷物棚５００の特定エリア５１０から座席６００の下の特定エリア５１０に運んだ場面が想定される。この場面において、まず、座席６００の下の特定エリア５１０に設けられた充電システム１００は、ステップＳ１０３において、荷物棚５００の特定エリア５１０に設けられた充電システム１００が後述するステップＳ１１８で送信した情報を用いて、荷物が内包する電子機器に対する非接触充電処理が他のエリアで実行されていたと判断する。そして、座席６００の下の特定エリア５１０に設けられた充電システム１００は、ステップＳ１０９において、荷物棚５００の特定エリア５１０に設けられた充電システム１００から充電経過情報を受信する。
【００２７】
ステップＳ１１０において、ＣＰＵ２１０は、ステップＳ１０８における課金処理のユーザ入力をトリガーとして受け取り、非接触充電装置４００を用いて荷物が内包する電子機器に対する非接触充電処理を開始する。また、ステップＳ１１０において、ＣＰＵ２１０は、ステップＳ１０９における充電経過情報の受信をトリガーとして受け取り、非接触充電装置４００を用いて荷物が内包する電子機器に対する非接触充電処理を開始する。なお、非接触充電処理を開始するトリガーはこれらに限られない。ＣＰＵ２１０は、例えば、ステップＳ１０１において荷物検知装置３００が荷物の載置を検知したと判断したことをトリガーとして非接触充電処理を開始する。
【００２８】
非接触充電処理について説明する。まず、ＣＰＵ２１０は、電子機器の電源をオフにする制御信号を、外部接続インターフェイス２１３を介して電子機器に無線で送信する。電子機器は、電子機器の電源をオフにする制御信号を電源オン状態で受信した場合に電源をオフにする。次に、ＣＰＵ２１０は、ＲＯＭ２１２に記憶されている電子機器の機器情報、ステップＳ１０７で設定された充電条件の情報を用いて、非接触充電装置４００の充電ユニット４１０、４２０、４３０、４４０の動作を制御する制御信号を非接触充電装置４００に送信する。そして、非接触充電装置４００は、ＣＰＵ２１０からの制御信号に応じて、充電ユニット４１０、４２０、４３０、４４０を駆動し、電子機器を非接触で充電する。
【００２９】
充電ユニット４１０、４２０、４３０、４４０が電場・磁場共鳴電力伝送により電子機器を非接触で充電する場合には、ＣＰＵ２１０は、電子機器の共鳴周波数で電場・磁場共鳴電力伝送を実行させる制御信号を非接触充電装置４００に送信する。また、ＣＰＵ２１０は、ＲＯＭ２１２に記憶されている電子機器の機器情報から荷物が複数の電子機器を内包すると判断した場合に、充電対象となる電子機器と非接触充電装置４００との対応付けを行う。
【００３０】
例えば、ＣＰＵ２１０は、複数の電子機器のうち最優先の電子機器を一つ選択し、選択した電子機器と非接触充電装置４００とを対応付け、選択した電子機器の共鳴周波数で電場・磁場共鳴電力伝送を実行させる制御信号を非接触充電装置４００に送信する。この場合において、ＣＰＵ２１０は、例えば、複数の電子機器のうち充電状態が一番悪い電子機器を選択する。また、ＣＰＵ２１０は、予め定められた電子機器の優先順位に従って、複数の電子機器のうち最優先の電子機器を一つ選択するようにしてもよい。
【００３１】
別の例として、荷物が２つの電子機器Ａ、Ｂを内包する場合において、ＣＰＵ２１０は、電子機器Ａと充電ユニット４１０、４２０とを対応付け、電子機器Ｂと充電ユニット４３０、４４０とを対応付ける。そして、ＣＰＵ２１０は、充電ユニット４１０、４２０に対して電子機器Ａの共鳴周波数で電場・磁場共鳴電力伝送を実行させる制御信号、充電ユニット４３０、４４０に対して電子機器Ｂの共鳴周波数で電場・磁場共鳴電力伝送を実行させる制御信号を非接触充電装置４００に送信する。
【００３２】
ＣＰＵ２１０は、荷物検知装置３００の出力情報から荷物の位置を判断し、荷物の位置に応じて充電ユニット４１０、４２０、４３０、４４０のうち駆動する充電ユニットを決定してもよい。例えば、ＣＰＵ２１０は、検知ユニット３１０、３３０および３４０で荷物が検知されていると判断した場合に、充電ユニット４１０および４３０を駆動すると決定し、充電ユニット４１０および４３０を駆動する制御信号を非接触充電装置４００に送信する。
【００３３】
また、ＣＰＵ２１０は、電子機器の位置を判断し、電子機器の位置に応じて充電ユニット４１０、４２０、４３０、４４０のうち駆動する充電ユニットを決定してもよい。例えば、充電ユニット４１０、４２０、４３０、４４０に電子機器と無線通信する機能が搭載されている場合に、ＣＰＵ２１０は、充電ユニット４１０、４２０、４３０、４４０のそれぞれと電子機器との無線通信の受信状況の情報を取得する。次に、ＣＰＵ２１０は、受信強度が一番強い充電ユニットの位置を電子機器の位置として判断する。そして、ＣＰＵ２１０は、受信強度が一番強い充電ユニットを駆動すると決定し、当該充電ユニットを駆動する制御信号を非接触充電装置４００に送信する。
【００３４】
ＣＰＵ２１０は、非接触充電処理を開始した後にステップＳ１１１に移行する。ステップＳ１１１において、ＣＰＵ２１０は、非接触充電処理を実行中に、充電システム１００に不具合が発生しているか否かを判断する。ＣＰＵ２１０は、充電システム１００に不具合が発生していると判断した場合にはステップＳ１１２に移行する。ステップＳ１１２において、充電処理を終了する制御信号を非接触充電装置４００に送信し、非接触充電装置４００の充電処理を途中で終了させる。そして、ＣＰＵ２１０は、ステップＳ１１３に移行し、ステップＳ１０８で課金した料金から途中まで充電した分の料金を引いた差額を計算して差額の返金処理を実行する。そして、ＣＰＵ２１０は本フローチャートを終了する。なお、フローチャートの終了に代えて、ステップＳ１０１へ戻るようにしても良い。
【００３５】
具体的には、ＣＰＵ２１０は、「充電システムの不具合により充電を途中で終了しました。２００円を返金いたしますので、ＩＣカードをＩＣカードリーダーにかざして下さい。」等のメッセージをディスプレイ２０１に表示させる。そして、ＣＰＵ２１０は、ＩＣカードリーダー２０４がプリペイドＩＣカードを検知した場合に、差額の返金処理を実行する。
【００３６】
ＣＰＵ２１０は、充電システム１００に不具合が発生していないと判断した場合にステップＳ１１４に移行する。ステップＳ１１４において、荷物が搬出されたか否かを判断する。具体的には、荷物検知装置３００が荷物の搬出を検知し、ＣＰＵ２１０は、荷物検知装置３００の出力情報を用いて荷物が搬出されたか否かを判断する。ＣＰＵ２１０は、荷物が搬出されていないと判断した場合にステップＳ１１５に移行する。
【００３７】
ステップＳ１１５において、ＣＰＵ２１０は、タイマー２１１を用いて、充電開始からの経過時間Ｔ１がステップＳ１０７で設定された充電時間ｔ１に達したかを判断する。なお、ＣＰＵ２１０は、ステップＳ１０９において充電経過情報を取得している場合に、充電経過情報を用いて充電時間ｔ１を設定する。ＣＰＵ２１０は、経過時間Ｔ１が充電時間ｔ１に達していない場合にはステップＳ１１１へ戻る。一方、ＣＰＵ２１０は、経過時間Ｔ１が充電時間ｔ１に達した場合にステップＳ１１６に移行し、充電処理を終了する。そして、ＣＰＵ２１０は、本フローチャートを終了する。なお、フローチャートの終了に代えて、ステップＳ１０１へ戻るようにしても良い。
【００３８】
ＣＰＵ２１０は、ステップＳ１１４において荷物が搬出されたことを判断した場合に、ＣＰＵ２１０はステップＳ１１７に移行して充電処理を終了する。そして、ＣＰＵ２１０は、ステップＳ１１８に移行し、荷物が内包する電子機器が充電途中であることを示す情報を荷物情報として周辺の他の充電システム１００に送信する。その後、ＣＰＵ２１０はステップＳ１１９に移行する。
【００３９】
ステップＳ１１９において、ＣＰＵ２１０は、他の充電システム１００から受信される情報を用いて、充電途中の電子機器が他の充電システム１００で検知されたか否かを判断する。ＣＰＵ２１０は、充電途中の電子機器が他の充電システム１００で検知された場合にステップＳ１２０に移行する。ステップＳ１２０において、ＣＰＵ２１０は、充電条件の情報、充電の進捗状況の情報等の充電経過情報を荷物情報として充電途中の電子機器が検知された他の充電システム１００に送信し、本フローチャートを終了する。なお、フローチャートの終了に代えて、ステップＳ１０１へ戻るようにしても良い。一方、ＣＰＵ２１０は、充電途中の電子機器が他の充電システム１００で検知されていない場合にステップＳ１２１に移行する。
【００４０】
ステップＳ１２１において、ＣＰＵ２１０は、タイマー２１１を用いて、ステップＳ１１４において荷物が搬出されたと判断してからの経過時間Ｔ２が予め定められた設定時間ｔ２（例えば１分）に達したかを判断する。ＣＰＵ２１０は、経過時間Ｔ２が設定時間ｔ２に達していない場合にはステップＳ１１８へ戻り、経過時間Ｔ２が設定時間ｔ２に達した場合には本フローチャートを終了する。なお、フローチャートの終了に代えて、ステップＳ１０１へ戻るようにしても良い。
【００４１】
図４から図６は、本実施形態に係る充電システムの確認入力処理、充電条件設定処理および課金処理における画面表示の例である。画面表示の例を用いて、確認入力処理、充電条件設定処理および課金処理を説明する。なお、本実施形態において、ＣＰＵ２１０は、ディスプレイ２０１を制御して各種画面をディスプレイ２０１に表示させる。
【００４２】
図４は、ステップＳ１０６の確認入力処理における画面表示の例である。ディスプレイ２０１は、荷物内の電子機器への充電を確認するメッセージ７００、機器名欄７０１、機種名欄７０２、充電状態欄７０３、実行欄７０４、ＹＥＳボタン７０５、ＮＯボタン７０６および次ボタン７０７を表示する。ディスプレイ２０１は、機器名欄７０１、機種名欄７０２および充電状態欄７０３に、ＲＯＭ２１２に保存されている電子機器の各種情報を表示する。なお、ディスプレイ２０１は、荷物が複数の電子機器を内包している場合には、複数の電子機器のそれぞれについて、機器名欄７０１、機種名欄７０２および充電状態欄７０３を表示する。
【００４３】
ディスプレイ２０１は、実行欄７０４に、充電を実行する旨の入力ボタンであるＹＥＳボタン７０５および充電を実行しない旨の入力ボタンであるＮＯボタン７０６を表示する。なお、ディスプレイ２０１は、荷物が複数の電子機器を内包している場合には、複数の電子機器のそれぞれについてＹＥＳボタン７０５およびＮＯボタン７０６を表示する。これらＹＥＳボタン７０５およびＮＯボタン７０６は、キーボード２０２またはタッチパネル２０３を用いてユーザが選択可能なボタンである。ＣＰＵ２１０は、ＹＥＳボタン７０５が選択された場合には丸印を実行欄７０４に表示させ、ＮＯボタン７０６が選択された場合にはバツ印を実行欄７０４に表示させる。
【００４４】
ディスプレイ２０１は、画面右下部に、次の処理へ進む旨の入力ボタンである次ボタン７０７を表示する。この次ボタン７０７は、キーボード２０２、タッチパネル２０３を用いてユーザが選択可能なボタンである。ＣＰＵ２１０は、次ボタン７０７が選択された場合に、ＹＥＳボタン７０５が選択された電子機器が一つでもあればステップＳ１０７の充電条件設定処理へ移行し、ＹＥＳボタン７０５が選択された電子機器が一つもなければ処理を終了する。
【００４５】
なお、ステップＳ１０２において電子機器の機器情報を取得できない場合に、ディスプレイ２０１は、メッセージ７００の下に、キーボード２０２またはタッチパネル２０３を用いてユーザが入力可能な機器名等の入力欄を表示する。そして、ＣＰＵ２１０は、次ボタン７０７が選択された場合に、入力欄に機器名等が入力されていればステップＳ１０７の充電条件設定処理へ移行し、入力欄が未入力であれば処理を終了する。
【００４６】
図５（ａ）は、ステップＳ１０７の充電条件設定処理における充電時間設定の画面表示の例である。ディスプレイ２０１は、充電時間入力タブ７１０、充電時間欄７１１、時間入力欄７１２、料金欄７１３、次ボタン７１４、前ボタン７１５および目的地入力タブ７２０を表示する。
【００４７】
ディスプレイ２０１は、画面上部に、ユーザが充電時間を入力するための入力タブである充電時間入力タブ７１０およびユーザが目的地を入力するための目的地入力タブ７２０を表示する。これら充電時間入力タブ７１０および目的地入力タブ７２０は、キーボード２０２またはタッチパネル２０３を用いてユーザが選択可能なタブである。
【００４８】
ディスプレイ２０１は、充電時間欄７１１に、キーボード２０２またはタッチパネル２０３を用いてユーザが充電時間を入力するための時間入力欄７１２を表示する。ディスプレイ２０１は、時間入力欄７１２に入力された充電時間に対応する料金を料金欄７１３に表示する。具体的には、まず、ＣＰＵ２１０は、ＲＯＭ２１２に記憶されている料金テーブルを参照して、時間入力欄７１２に入力された充電時間に対応する料金を計算する。そして、ディスプレイ２０１は、ＣＰＵ２１０が計算した料金を表示する。
【００４９】
ディスプレイ２０１は、画面右下部に、次の処理へ進む旨の入力ボタンである次ボタン７１４を表示する。また、ディスプレイ２０１は、画面左下部に、前の処理へ戻る旨の入力ボタンである前ボタン７１５を表示する。これら次ボタン７１４および前ボタン７１５は、キーボード２０２またはタッチパネル２０３を用いてユーザが選択可能なボタンである。ＣＰＵ２１０は、次ボタン７１４が選択された場合にステップＳ１０８の課金処理へ移行し、前ボタン７１５が選択された場合にステップＳ１０６の確認入力処理へ戻る。
【００５０】
図５（ｂ）は、ステップＳ１０７の充電条件設定処理における目的地設定の画面表示の例である。ＣＰＵ２１０は、図４（ｂ）で示す充電時間設定の画面において目的地入力タブ７２０が選択された場合に、図４（ｃ）で示す目的地設定の画面をディスプレイ２０１に表示させる。
【００５１】
ディスプレイ２０１は、充電時間入力タブ７１０、次ボタン７１４、前ボタン７１５、目的地入力タブ７２０、路線名７２１、第１の目的地入力ボタン７２２、第２の目的地入力ボタン７２３、第３の目的地入力ボタン７２４、料金欄７２５、第１のスクロールボタン７２６および第２のスクロールボタン７２７を表示する。充電時間入力タブ７１０、次ボタン７１４、前ボタン７１５および目的地入力タブ７２０の機能は、上述の充電時間設定の画面の場合と同様であるので説明を省略する。なお、ＣＰＵ２１０は、図５（ｂ）で示す目的地設定の画面において充電時間入力タブ７１０が選択された場合に、図５（ａ）で示す充電時間設定の画面をディスプレイ２０１に表示させる。
【００５２】
ディスプレイ２０１は、画面中央部に、ユーザが目的地すなわち降車駅を入力するための第１の目的地入力ボタン７２２、第２の目的地入力ボタン７２３および第３の目的地入力ボタン７２４を表示する。ディスプレイ２０１は、第１の目的地入力ボタン７２２、第２の目的地入力ボタン７２３および第３の目的地入力ボタン７２４に今後通過する駅名を順に表示する。
【００５３】
ディスプレイ２０１は、第１の目的地入力ボタン７２２、第２の目的地入力ボタン７２３および第３の目的地入力ボタン７２４の下に、料金欄７２５を表示する。ディスプレイ２０１は、第１の目的地入力ボタン７２２に表示されている駅に到着するまで充電した場合の料金を第１の目的地入力ボタン７２２の下に表示する。また、ディスプレイ２０１は、第２の目的地入力ボタン７２３に表示されている駅に到着するまで充電した場合の料金を第２の目的地入力ボタン７２３の下に表示する。同様に、ディスプレイ２０１は、第３の目的地入力ボタン７２４に表示されている駅に到着するまで充電した場合の料金を第３の目的地入力ボタン７２４の下に表示する。
【００５４】
具体的には、まず、ＣＰＵ２１０は、第１の目的地入力ボタン７２２、第２の目的地入力ボタン７２３、第３の目的地入力ボタン７２４に表示されている駅への到着時間をそれぞれ計算する。次に、ＣＰＵ２１０は、ＲＯＭ２１２に記憶されている料金テーブルを参照して、各駅への到着時間に対応する料金を計算する。そして、ディスプレイ２０１は、ＣＰＵ２１０が計算した料金を表示する。なお、ＣＰＵ２１０は、予め定められた期間（例えば１分）ごとに第１の目的地入力ボタン７２２、第２の目的地入力ボタン７２３、第３の目的地入力ボタン７２４に表示されている駅への到着時間を計算し、ディスプレイ２０１は料金欄７２５の表示を更新する。
【００５５】
ディスプレイ２０１は、第３の目的地入力ボタン７２４の右側に、第３の目的地入力ボタン７２４に現在表示されている駅の次の駅を第３の目的地入力ボタン７２４に表示させるための第１のスクロールボタン７２６を表示する。また、ディスプレイ２０１は、第１の目的地入力ボタン７２２の左側に、第１の目的地入力ボタン７２２に現在表示されている駅の前の駅を第１の目的地入力ボタン７２２に表示させるための第２のスクロールボタン７２７を表示する。これら第１のスクロールボタン７２６、第２のスクロールボタン７２７は、キーボード２０２、タッチパネル２０３を用いてユーザが選択可能なボタンである。
【００５６】
ＣＰＵ２１０は、第１のスクロールボタン７２６または第２のスクロールボタン７２７が１回選択されるごとに、ＲＯＭ２１２に記憶されている路線テーブルに基づいて、第１の目的地入力ボタン７２２、第２の目的地入力ボタン７２３、第３の目的地入力ボタン７２４の駅名を決定する。そして、ディスプレイ２０１は第１の目的地入力ボタン７２２、第２の目的地入力ボタン７２３、第３の目的地入力ボタン７２４の駅名を更新する。さらに、ＣＰＵ２１０は、更新後の第１の目的地入力ボタン７２２、第２の目的地入力ボタン７２３、第３の目的地入力ボタン７２４に表示されている駅に到着するまで充電した場合の料金を計算し、ディスプレイ２０１は料金欄７２５の表示を更新する。
【００５７】
図６は、ステップＳ１０７の課金処理の画面表示の例である。ディスプレイ２０１は、機器名欄７３０、充電時間欄７３１、料金欄７３２、充電条件の確認およびプリペイドＩＣカードでの課金を促すメッセージ７３３および前ボタン７３４を表示する。
【００５８】
ディスプレイ２０１は、ステップＳ１０６の確認入力処理で充電対象として入力された電子機器の機器名を機器名欄７３０に表示する。ディスプレイ２０１は、ステップＳ１０７の充電条件設定処理で入力された充電時間を充電時間欄７３１に表示し、充電時間に対応する料金を料金欄７３２に表示する。
【００５９】
なお、ステップＳ１０７の充電条件設定処理で目的地が入力された場合には、ディスプレイ２０１は、充電時間欄７３１に代わりに目的地欄を表示し、ステップＳ１０７の充電条件設定処理で入力された目的地を目的地欄に表示する。そして、ディスプレイ２０１は、目的地に対応する料金を料金欄７３２に表示する。
【００６０】
ディスプレイ２０１は、画面左下部に、前の処理へ戻る旨の入力ボタンである前ボタン７３４を表示する。この前ボタン７３４は、キーボード２０２またはタッチパネル２０３を用いてユーザが選択可能なボタンである。ＣＰＵ２１０は、前ボタン７３４が選択された場合にステップＳ１０７の充電条件設定処理へ戻る。
【００６１】
ＣＰＵ２１０は、この図６の画面の表示中に、ＩＣカードリーダー２０４でプリペイドＩＣカードを検知した場合に、課金処理を実行する。なお、ＣＰＵ２１０は、プリペイドＩＣカードの残金が料金に満たない場合には、ディスプレイ２０１に警告を表示させ、残金分だけ充電するかの確認処理を実行する。この場合に、ＣＰＵ２１０は、残金分だけ充電する旨の入力をキーボード２０２またはタッチパネル２０３で受け付けた場合に、残金に対応する充電時間のみ非接触充電処理を実行させる制御信号を非接触充電装置４００に送信する。一方、ＣＰＵ２１０は、充電しない旨の入力をキーボード２０２またはタッチパネル２０３で受け付けた場合に、処理を終了する。
【００６２】
上述の実施形態においては、電車で移動中に荷物が内包する電子機器を非接触充電する場面を想定して説明したが、充電システム１００の適用範囲はこれに限られない。例えば、充電システム１００をバス、タクシー等の他の移動手段に適用することもできる。
【００６３】
また、充電システム１００を荷物ロッカーに適用することもできる。具体的には、荷物ロッカーの扉の前面にコントロールパネル２００が設けられ、荷物ロッカー内に荷物検知装置３００および非接触充電装置４００が設けられる。
【００６４】
上述の実施形態において、複数のコントロールパネル２００のそれぞれが上述の処理を実行するものとして説明したがこれに限られない。例えば、サーバがネットワークを介して複数の特定エリア５１０に設けられた複数の荷物検知装置３００および複数の非接触充電装置４００と接続し、上述の処理を実行するようにしてもよい。
【００６５】
以上、本発明を上述の実施形態を用いて説明したが、本発明の技術的範囲は上述の実施形態に記載の範囲には限定されない。上述の実施形態に、多様な変更または改良を加えることが可能であることが当業者に明らかである。その様な変更または改良を加えた形態も本発明の技術的範囲に含まれ得ることが、特許請求の範囲の記載から明らかである。
【００６６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６７】
１００  充電システム、２００  コントロールパネル、２０１  ディスプレイ、２０２  キーボード、２０３  タッチパネル、２０４  ＩＣカードリーダー、２１０  ＣＰＵ、２１１  タイマー、２１２  ＲＯＭ、２１３  外部接続インターフェイス、３００  荷物検知装置、３１０  検知ユニット、３２０  検知ユニット、３３０  検知ユニット、３４０  検知ユニット、３５０  検知ユニット、４００  非接触充電装置、４１０  充電ユニット、４２０  充電ユニット、４３０  充電ユニット、４４０  充電ユニット、５００  荷物棚、５１０  特定エリア、６００  座席、７００  メッセージ、７０１  機器名欄、７０２  機種名欄、７０３  充電状態欄、７０４  実行欄、７０５  ＹＥＳボタン、７０６  ＮＯボタン、７０７  次ボタン、７１０  充電時間入力タブ、７１１  充電時間欄、７１２  時間入力欄、７１３  料金欄、７１４  次ボタン、７１５  前ボタン、７２０  目的地入力タブ、７２１  路線名、７２２  第１の目的地入力ボタン、７２３  第２の目的地入力ボタン、７２４  第３の目的地入力ボタン、７２５  料金欄、７２６  第１のスクロールボタン、７２７  第２のスクロールボタン、７３０  機器名欄、７３１  充電時間欄、７３２  料金欄、７３３  メッセージ、７３４  前ボタン
【図１】
2012210125.tif 000003
【図２】
2012210125.tif 000004
【図３】
2012210125.tif 000005
【図４】
2012210125.tif 000006
【図５】
2012210125.tif 000007
【図６】
2012210125.tif 000008